(57)【特許請求の範囲】
【請求項１】
被写体のＸ線画像を撮影するＸ線画像撮影システムで使用され、該Ｘ線画像撮影システム全体の動作を制御するコンソールであって、
Ｘ線源の動作を制御するための情報であるＸ線制御パラメータ、および、患者情報、Ｘ線撮影の術式、撮影部位、Ｘ線の照射野のサイズ、撮影基準位置、画像処理条件のうちの１以上を含む、該コンソールが前記Ｘ線画像撮影システム全体の動作を制御するための情報であるコンソール制御パラメータを入力するための入力装置と、
前記Ｘ線制御パラメータの値の許容範囲を表す第１設定範囲情報、および、前記コンソール制御パラメータの値の許容範囲を表す第２設定範囲情報を保持し、該第１設定範囲情報に基づいて、前記入力装置を介して入力されたＸ線制御パラメータの値が設定可能な値か否かを判断するとともに、前記第２設定範囲情報に基づいて、前記入力装置を介して入力されたコンソール制御パラメータが設定可能な値か否かを判断し、その判断結果を該コンソールのユーザに通知する制御装置とを備えることを特徴とするコンソール。
【請求項２】
前記制御装置は、前記入力されたＸ線制御パラメータの値が設定可能な値であると判断した場合に、該入力されたＸ線制御パラメータを、前記Ｘ線源の動作を制御するＸ線制御装置に設定するものである請求項１に記載のコンソール。
【請求項３】
前記制御装置は、前記入力されたコンソール制御パラメータの値が設定可能な値であると判断した場合に、該入力されたコンソール制御パラメータを、該制御装置に設定するものである請求項１に記載のコンソール。
【請求項４】
Ｘ線を照射するＸ線源と、
請求項１〜３のいずれか１項に記載のコンソールと、
前記コンソールの制御装置により、前記入力されたＸ線制御パラメータの値が設定可能な値であると判断された場合に設定されるＸ線制御パラメータに基づいて、前記Ｘ線源の動作を制御するＸ線制御装置と、
前記Ｘ線源から照射され、被写体を透過したＸ線を検出することによって、前記被写体が撮影されたＸ線画像の画像信号を出力するＸ線検出器とを備えていることを特徴とするＸ線画像撮影システム。
【請求項５】
前記Ｘ線制御装置は、前記第１設定範囲情報の元情報である第３設定範囲情報を保持しており、
前記コンソールは、電源投入時に、前記第１設定範囲情報の値と前記第３設定範囲情報の値とが同じであるか否かを判断し、同じではないと判断した場合に、前記第１設定範囲情報の値を前記第３設定範囲情報の値と同じ値に設定し直すものである請求項４に記載のＸ線画像撮影システム。
【請求項６】
前記Ｘ線制御装置は、前記第１設定範囲情報の元情報である第３設定範囲情報を保持しており、前記被写体のＸ線画像を撮影する前に、前記第３設定範囲情報に基づいて、前記設定されたＸ線制御パラメータの値が設定可能な値か否かを判断し、その判断結果を該Ｘ線画像撮影システムのユーザに通知するものである請求項４または５に記載のＸ線画像撮影システム。
【請求項７】
前記Ｘ線制御装置は、前記設定されたＸ線制御パラメータの値が設定可能な値ではないと判断した場合に、前記Ｘ線源からＸ線を照射させないものである請求項６に記載のＸ線画像撮影システム。
【請求項８】
被写体のＸ線画像を撮影するＸ線画像撮影システムで使用される入力端末であって、
Ｘ線源の動作を制御するための情報であるＸ線制御パラメータ、および、患者情報、Ｘ線撮影の術式、撮影部位、Ｘ線の照射野のサイズ、撮影基準位置、画像処理条件のうちの１以上を含む、コンソールが前記Ｘ線画像撮影システム全体の動作を制御するための情報であるコンソール制御パラメータを入力するための入力装置と、
前記Ｘ線制御パラメータの値の許容範囲を表す第１設定範囲情報、および、前記コンソール制御パラメータの値の許容範囲を表す第２設定範囲情報を保持し、該第１設定範囲情報に基づいて、前記入力装置を介して入力されたＸ線制御パラメータの値が設定可能な値か否かを判断するとともに、前記第２設定範囲情報に基づいて、前記入力装置を介して入力されたコンソール制御パラメータが設定可能な値か否かを判断し、その判断結果を該入力端末のユーザに通知する制御装置とを備えることを特徴とする入力端末。
【請求項９】
前記制御装置は、前記入力されたＸ線制御パラメータの値が設定可能な値であると判断した場合に、前記入力されたＸ線制御パラメータを、前記Ｘ線源の動作を制御するＸ線制御装置に設定するものである請求項８に記載の入力端末。
【請求項１０】
前記制御装置は、前記入力されたコンソール制御パラメータの値が設定可能な値であると判断した場合に、前記入力されたコンソール制御パラメータを、前記コンソールに設定するものである請求項８または９に記載の入力端末。
【請求項１１】
Ｘ線を照射するＸ線源と、
請求項８〜１０のいずれか１項に記載の入力端末と、
前記入力端末によって、前記入力されたコンソール制御パラメータの値が設定可能な値であると判断された場合に設定されるコンソール制御パラメータに基づいて、該Ｘ線画像撮影システム全体の動作を制御するコンソールと、
前記入力端末によって、前記入力されたＸ線制御パラメータの値が設定可能な値であると判断された場合に設定されるＸ線制御パラメータに基づいて、前記Ｘ線源の動作を制御するＸ線制御装置と、
前記Ｘ線源から照射され、被写体を透過したＸ線を検出することによって、前記被写体が撮影されたＸ線画像の画像信号を出力するＸ線検出器とを備えていることを特徴とするＸ線画像撮影システム。
【請求項１２】
前記Ｘ線制御装置は、前記第１設定範囲情報の元情報である第３設定範囲情報を保持しており、
前記入力端末は、電源投入時に、前記第１設定範囲情報の値と前記第３設定範囲情報の値とが同じであるか否かを判断し、同じではないと判断した場合に、前記第１設定範囲情報の値を前記第３設定範囲情報の値と同じ値に設定し直すものである請求項１１に記載のＸ線画像撮影システム。
【請求項１３】
前記Ｘ線制御装置は、前記第１設定範囲情報の元情報である第３設定範囲情報を保持しており、前記被写体のＸ線画像を撮影する前に、前記第３設定範囲情報に基づいて、前記設定されたＸ線制御パラメータの値が設定可能な値か否かを判断し、その判断結果を該Ｘ線画像撮影システムのユーザに通知するものである請求項１１または１２に記載のＸ線画像撮影システム。
【請求項１４】
前記Ｘ線制御装置は、前記設定されたＸ線制御パラメータの値が設定可能な値ではないと判断した場合に、前記Ｘ線源からＸ線を照射させないものである請求項１３に記載のＸ線画像撮影システム。
【請求項１５】
前記入力端末は、複数の撮影室の間を持ち運んで使用される携帯型端末であって、各々の撮影室に対応する第１設定範囲情報および第２設定範囲情報を保持し、該各々の撮影室で使用される場合に、該各々の撮影室に対応する第１設定範囲情報および第２設定範囲情報に基づく判断結果を該入力端末のユーザに通知するものである請求項１１〜１４のいずれか１項に記載のＸ線画像撮影システム。
【請求項１６】
各々のユーザが所有する複数の入力端末を有し、各々のユーザの入力端末は、該Ｘ線画像撮影システムを使用する時に、前記Ｘ線制御パラメータを前記Ｘ線制御装置に設定するとともに、前記コンソール制御パラメータを前記コンソールに設定するものである請求項１１〜１４のいずれか１項に記載のＸ線画像撮影システム。
【請求項１７】
複数のユーザが共用する１台の入力端末を有し、該１台の入力端末は、各々のユーザが該Ｘ線画像撮影システムを使用する時に、該Ｘ線画像撮影システムを使用するユーザに対応するＸ線制御パラメータを前記Ｘ線制御装置に設定するとともに、該Ｘ線画像撮影システムを使用するユーザに対応するコンソール制御パラメータを前記コンソールに設定するものである請求項１１〜１４のいずれか１項に記載のＸ線画像撮影システム。
【発明の詳細な説明】
【技術分野】
【０００１】
本発明は、Ｘ線を被写体（患者）に照射し、被写体を透過したＸ線を検出してＸ線画像を撮影するＸ線画像撮影システム、および、このＸ線画像撮影システムで使用されるコンソールおよび入力端末に関するものである。
【背景技術】
【０００２】
図５は、従来のＸ線画像撮影システムの構成を表す一例のブロック図である。同図に示すＸ線画像撮影システム５０は、被写体のＸ線画像を撮影するものであり、画像撮影装置５２と、コンソール５４とによって構成されている。
【０００３】
画像撮影装置５２は、Ｘ線を照射するＸ線源５６と、Ｘ線源５６の動作を制御するＸ線制御装置５８およびその入力装置６０と、Ｘ線源５６から照射され、被写体を透過したＸ線を検出するＸ線検出器６２と、被写体を位置決めするための撮影台６４とを備えている。また、コンソール５４は、このＸ線画像撮影システム５０全体の動作を制御する制御装置６６およびその入力装置６８を備えている。
【０００４】
画像撮影装置５２において、入力装置６０は、Ｘ線制御装置５８に接続され、Ｘ線制御装置５８は、Ｘ線源５６に接続されている。また、コンソール５４において、入力装置６８は、制御装置６６に接続されている。そして、Ｘ線制御装置５８、Ｘ線検出器６２、撮影台６４およびコンソール５４の制御装置６６は、ネットワーク７０を介して相互に接続されている。
【０００５】
従来のＸ線画像撮影システム５０では、ユーザ（例えば、Ｘ線画像の撮影技師）により、Ｘ線制御装置５８の入力装置６０を介して、Ｘ線源５６の動作を制御するための情報であるＸ線制御パラメータが入力されるとともに、コンソール５４の入力装置６８を介して、コンソール５４の動作を制御するための情報であるコンソール制御パラメータが入力される。
【０００６】
ここで、Ｘ線制御装置５８は、Ｘ線制御パラメータの値の許容範囲を表す第１設定範囲情報を保持しており、この第１設定範囲情報に基づいて、入力装置６０を介して入力されたＸ線制御パラメータの値が設定可能な値であるか否かを判断する。そして、Ｘ線制御装置５８は、設定可能な値であると判断した場合に、入力されたＸ線制御パラメータをＸ線制御装置５８に設定する。
【０００７】
同様に、コンソール５４の制御装置６６は、コンソール制御パラメータの値の許容範囲を表す第２設定範囲情報を保持しており、この第２設定範囲情報に基づいて。入力装置６８を介して入力されたコンソール制御パラメータの値が設定可能な値であるか否かを判断する。そして、コンソール５４の制御装置６６は、設定可能な値であると判断した場合に、入力されたコンソール制御パラメータを制御装置６６に設定する。
【０００８】
コンソール５４の制御装置６６の制御により、コンソール制御パラメータの値が設定可能な値であると判断された場合に、コンソール制御パラメータに基づいて、Ｘ線画像撮影システム５０の各部位の動作が制御される。
【０００９】
そして、Ｘ線画像の撮影時に、ユーザにより曝射ボタンが押されると、Ｘ線制御装置５８により、Ｘ線制御パラメータに基づいてＸ線源５６の動作が制御される。これにより、Ｘ線源５６からＸ線が照射され、被写体を透過したＸ線がＸ線検出器６２によって検出されることによってＸ線画像が撮影される。撮影されたＸ線画像はコンソール５４の制御装置６６に入力され、画像処理等が施された後、例えば、表示装置に表示される。
【００１０】
ここで、入力装置６０を介して入力されたＸ線制御パラメータの値、および、入力装置６８を介して入力されたコンソール制御パラメータの値が、設定可能な値ではないと判断された場合には、ユーザによって設定がやり直されることになる。
【００１１】
しかしながら、Ｘ線画像撮影システム５０では、コンソール５４の入力装置６８からコンソール制御パラメータを入力し、Ｘ線制御装置５８の入力装置６０からＸ線制御パラメータを入力する必要がある。そのため、Ｘ線制御パラメータおよびコンソール制御パラメータの一方でも設定可能な値ではないと判断されると、その度に、図６の動作概念図に示すように、両者の間でやり取りを行って、再度パラメータを設定し直す必要があった。
【００１２】
そのため、Ｘ線画像撮影システム５０では、撮影操作が煩雑化し、撮影効率が低下するという問題点があった。また、撮影完了までの所要時間、つまり、被写体の待ち時間が長くなるため、負担が増大するという問題点があった。
【００１３】
ここで、Ｘ線源、Ｘ線制御装置、Ｘ線検出器等を備えるＸ線画像撮影システムの先行技術文献として、例えば、特許文献１，２等がある。しかしながら、本発明に直接的に関連性のある先行技術文献は存在していない。
【先行技術文献】
【特許文献】
【００１４】
【特許文献１】特開平７−３１６０９号公報
【特許文献２】特開２００８−１４２１１１号公報
【発明の概要】
【発明が解決しようとする課題】
【００１５】
本発明の目的は、Ｘ線制御パラメータおよびコンソール制御パラメータを設定する時の撮影操作を簡略化し、撮影効率を向上させることができるコンソール、入力端末、および、これを使用するＸ線画像撮影システムを提供することにある。
【課題を解決するための手段】
【００１６】
上記目的を達成するために、本発明は、被写体のＸ線画像を撮影するＸ線画像撮影システムで使用され、該Ｘ線画像撮影システム全体の動作を制御するコンソールであって、
Ｘ線源の動作を制御するための情報であるＸ線制御パラメータ、および、患者情報、Ｘ線撮影の術式、撮影部位、Ｘ線の照射野のサイズ、撮影基準位置、画像処理条件のうちの１以上を含む、該コンソールが前記Ｘ線画像撮影システム全体の動作を制御するための情報であるコンソール制御パラメータを入力するための入力装置と、
前記Ｘ線制御パラメータの値の許容範囲を表す第１設定範囲情報、および、前記コンソール制御パラメータの値の許容範囲を表す第２設定範囲情報を保持し、該第１設定範囲情報に基づいて、前記入力装置を介して入力されたＸ線制御パラメータの値が設定可能な値か否かを判断するとともに、前記第２設定範囲情報に基づいて、前記入力装置を介して入力されたコンソール制御パラメータが設定可能な値か否かを判断し、その判断結果を該コンソールのユーザに通知する制御装置とを備えることを特徴とするコンソールを提供するものである。
【００１７】
ここで、前記制御装置は、前記入力されたＸ線制御パラメータの値が設定可能な値であると判断した場合に、該入力されたＸ線制御パラメータを、前記Ｘ線源の動作を制御するＸ線制御装置に設定するものであることが好ましい。
【００１９】
また、前記制御装置は、前記入力されたコンソール制御パラメータの値が設定可能な値であると判断した場合に、該入力されたコンソール制御パラメータを、該制御装置に設定するものであることが好ましい。
【００２０】
また、本発明は、Ｘ線を照射するＸ線源と、
上記のいずれかに記載のコンソールと、
前記コンソールの制御装置により、前記入力されたＸ線制御パラメータの値が設定可能な値であると判断された場合に設定されるＸ線制御パラメータに基づいて、前記Ｘ線源の動作を制御するＸ線制御装置と、
前記Ｘ線源から照射され、被写体を透過したＸ線を検出することによって、前記被写体が撮影されたＸ線画像の画像信号を出力するＸ線検出器とを備えていることを特徴とするＸ線画像撮影システムを提供する。
【００２１】
ここで、前記Ｘ線制御装置は、前記第１設定範囲情報の元情報である第３設定範囲情報を保持しており、
前記コンソールは、電源投入時に、前記第１設定範囲情報の値と前記第３設定範囲情報の値とが同じであるか否かを判断し、同じではないと判断した場合に、前記第１設定範囲情報の値を前記第３設定範囲情報の値と同じ値に設定し直すものであることが好ましい。
【００２２】
また、前記Ｘ線制御装置は、前記第１設定範囲情報の元情報である第３設定範囲情報を保持しており、前記被写体のＸ線画像を撮影する前に、前記第３設定範囲情報に基づいて、前記設定されたＸ線制御パラメータの値が設定可能な値か否かを判断し、その判断結果を該Ｘ線画像撮影システムのユーザに通知するものであることが好ましい。
【００２３】
また、前記Ｘ線制御装置は、前記設定されたＸ線制御パラメータの値が設定可能な値ではないと判断した場合に、前記Ｘ線源からＸ線を照射させないものであることが好ましい。
【００２４】
また、本発明は、被写体のＸ線画像を撮影するＸ線画像撮影システムで使用される入力端末であって、
Ｘ線源の動作を制御するための情報であるＸ線制御パラメータ、および、患者情報、Ｘ線撮影の術式、撮影部位、Ｘ線の照射野のサイズ、撮影基準位置、画像処理条件のうちの１以上を含む、コンソールが前記Ｘ線画像撮影システム全体の動作を制御するための情報であるコンソール制御パラメータを入力するための入力装置と、
前記Ｘ線制御パラメータの値の許容範囲を表す第１設定範囲情報、および、前記コンソール制御パラメータの値の許容範囲を表す第２設定範囲情報を保持し、該第１設定範囲情報に基づいて、前記入力装置を介して入力されたＸ線制御パラメータの値が設定可能な値か否かを判断するとともに、前記第２設定範囲情報に基づいて、前記入力装置を介して入力されたコンソール制御パラメータが設定可能な値か否かを判断し、その判断結果を該入力端末のユーザに通知する制御装置とを備えることを特徴とする入力端末を提供する。
【００２５】
ここで、前記制御装置は、前記入力されたＸ線制御パラメータの値が設定可能な値であると判断した場合に、前記入力されたＸ線制御パラメータを、前記Ｘ線源の動作を制御するＸ線制御装置に設定するものであることが好ましい。
【００２６】
また、前記制御装置は、前記入力されたコンソール制御パラメータの値が設定可能な値であると判断した場合に、前記入力されたコンソール制御パラメータを、前記コンソールに設定するものであることが好ましい。
【００２７】
また、本発明は、Ｘ線を照射するＸ線源と、
上記のいずれかに記載の入力端末と、
前記入力端末によって、前記入力されたコンソール制御パラメータの値が設定可能な値であると判断された場合に設定されるコンソール制御パラメータに基づいて、該Ｘ線画像撮影システム全体の動作を制御するコンソールと、
前記入力端末によって、前記入力されたＸ線制御パラメータの値が設定可能な値であると判断された場合に設定されるＸ線制御パラメータに基づいて、前記Ｘ線源の動作を制御するＸ線制御装置と、
前記Ｘ線源から照射され、被写体を透過したＸ線を検出することによって、前記被写体が撮影されたＸ線画像の画像信号を出力するＸ線検出器とを備えていることを特徴とするＸ線画像撮影システムを提供する。
【００２８】
ここで、前記Ｘ線制御装置は、前記第１設定範囲情報の元情報である第３設定範囲情報を保持しており、
前記入力端末は、電源投入時に、前記第１設定範囲情報の値と前記第３設定範囲情報の値とが同じであるか否かを判断し、同じではないと判断した場合に、前記第１設定範囲情報の値を前記第３設定範囲情報の値と同じ値に設定し直すものであることが好ましい。
【００２９】
また、前記Ｘ線制御装置は、前記第１設定範囲情報の元情報である第３設定範囲情報を保持しており、前記被写体のＸ線画像を撮影する前に、前記第３設定範囲情報に基づいて、前記設定されたＸ線制御パラメータの値が設定可能な値か否かを判断し、その判断結果を該Ｘ線画像撮影システムのユーザに通知するものであることが好ましい。
【００３０】
また、前記Ｘ線制御装置は、前記設定されたＸ線制御パラメータの値が設定可能な値ではないと判断した場合に、前記Ｘ線源からＸ線を照射させないものであることが好ましい。
【００３１】
また、前記入力端末は、複数の撮影室の間を持ち運んで使用される携帯型端末であって、各々の撮影室に対応する第１設定範囲情報および第２設定範囲情報を保持し、該各々の撮影室で使用される場合に、該各々の撮影室に対応する第１設定範囲情報および第２設定範囲情報に基づく判断結果を該入力端末のユーザに通知するものであることが好ましい。
【００３２】
また、各々のユーザが所有する複数の入力端末を有し、各々のユーザの入力端末は、該Ｘ線画像撮影システムを使用する時に、前記Ｘ線制御パラメータを前記Ｘ線制御装置に設定するとともに、前記コンソール制御パラメータを前記コンソールに設定するものであることが好ましい。
【００３３】
また、複数のユーザが共用する１台の入力端末を有し、該１台の入力端末は、各々のユーザが該Ｘ線画像撮影システムを使用する時に、該Ｘ線画像撮影システムを使用するユーザに対応するＸ線制御パラメータを前記Ｘ線制御装置に設定するとともに、該Ｘ線画像撮影システムを使用するユーザに対応するコンソール制御パラメータを前記コンソールに設定するものであることが好ましい。
【発明の効果】
【００３４】
Ｘ線画像撮影システムでは、コンソールの入力装置からＸ線制御パラメータを入力するだけで、Ｘ線制御装置にＸ線制御パラメータを設定することができるとともに、Ｘ線制御パラメータが設定可能な値であるか否かを、コンソールの制御装置で判断し、ユーザに通知することができる。そのため、Ｘ線画像撮影システムでは、撮影操作を簡素化することができ、撮影効率を向上させることができる。また、Ｘ線画像の撮影時の被写体の待ち時間を短縮することができ、負担を減らすことができる。
【図面の簡単な説明】
【００３５】
【図１】本発明のＸ線画像撮影システムの構成を表す第１の実施形態のブロック図である。
【図２】図１に示すＸ線画像撮影システムの動作を表す概念図である。
【図３】本発明のＸ線画像撮影システムの構成を表す第２の実施形態のブロック図である。
【図４】図３に示すＸ線画像撮影システムの動作を表す概念図である。
【図５】従来のＸ線画像撮影システムの構成を表す一例のブロック図である。
【図６】図５に示すＸ線画像撮影システムの動作を表す概念図である。
【発明を実施するための形態】
【００３６】
以下に、添付の図面に示す好適実施形態に基づいて、本発明のコンソール、入力端末、および、Ｘ線画像撮影システムを詳細に説明する。
【００３７】
図１は、本発明のＸ線画像撮影システムの構成を表す第１の実施形態のブロック図である。同図に示すＸ線画像撮影システム１０は、画像撮影装置１２と、コンソール１４とによって構成されている。
【００３８】
画像撮影装置１２は、Ｘ線源１６と、Ｘ線制御装置１８およびその入力装置２０と、Ｘ線検出器２２と、撮影台２４とを備えている。入力装置２０は、Ｘ線制御装置１８に接続され、Ｘ線制御装置１８は、Ｘ線源１６に接続されている。そして、Ｘ線制御装置１８、Ｘ線検出器２２、撮影台２４および後述するコンソール１４の制御装置２６は、ネットワーク３０を介して相互に接続されている。
【００３９】
Ｘ線源１６は、Ｘ線制御装置１８の制御により、Ｘ線画像の撮影時に、所定強度のＸ線を所定の時間だけ照射する。つまり、所定の照射量（線量）のＸ線を照射する。
【００４０】
Ｘ線制御装置１８は、後述するコンソール１４の制御装置２６によって設定されるＸ線制御パラメータに基づいて、Ｘ線源１６の動作を制御する。
【００４１】
入力装置２０は、各種の情報をＸ線制御装置１８に入力するための入力手段である。本実施形態では入力装置２０を使用していないが、入力装置２０からＸ線制御パラメータを入力することもできる。
【００４２】
Ｘ線検出器２２は、Ｘ線源１６から照射され、被写体を透過したＸ線を検出することによって、被写体が撮影されたＸ線画像の画像信号を出力する。Ｘ線検出器２２としては、例えば、Ｘ線画像撮影用のカセッテを使用することができる。カセッテは、Ｘ線撮影フィルム、ＩＰ（イメージングプレート）、ＦＰＤ（フラットパネルディテクタ）等のＸ線撮影手段を収納したものである。
【００４３】
撮影台２４は、Ｘ線画像の撮影時に、被写体を位置決めするための台である。撮影台２４は、Ｘ線検出器２２を使用してＸ線画像を撮影する単なる位置決め台であってもよい。また、撮影台２４は、立位撮影台ないし臥位撮影台の内部にＸ線検出器が組み込まれた固定型のものであってもよいし、Ｘ線画像の撮影時にＸ線検出器が装着される可搬型のものであってもよい。
【００４４】
続いて、コンソール１４は、Ｘ線画像撮影システム１０全体の動作を制御するものであって、制御装置２６およびその入力装置２８の他、各種の情報を表示するための表示装置（図示省略）等を備えている。入力装置２８および表示装置は、制御装置２６に接続され、制御装置２６は、前述のようにネットワーク３０に接続されている。
【００４５】
入力装置２８は、Ｘ線源１６の動作を制御するための情報であるＸ線制御パラメータ、および、コンソール１４の動作を制御するための情報であるコンソール制御パラメータを含む各種の情報を制御装置２６に入力するための入力手段である。
【００４６】
ここで、Ｘ線制御パラメータとしては、例えば、Ｘ線源１６の管電圧および管電流、Ｘ線の照射時間、ＡＥＣ（自動露出制御）、患者サイズ等を例示することができる。また、コンソール制御パラメータとしては、例えば、患者情報、Ｘ線撮影の術式（立位、臥位）、撮影部位、Ｘ線の照射野のサイズ、撮影基準位置、画像処理条件等を例示することができる。
【００４７】
制御装置２６は、Ｘ線制御パラメータの値の許容範囲を表す第１設定範囲情報、および、コンソール制御パラメータの値の許容範囲を表す第２設定範囲情報を保持している。制御装置２６は、第１設定範囲情報に基づいて、入力装置２８を介して入力されたＸ線制御パラメータの値が設定可能な値であるか否かを判断するとともに、第２の設定範囲情報に基づいて、入力装置２８を介して入力されたコンソール制御パラメータの値が設定可能な値であるか否かを判断し、その判断結果を表示装置等を利用してユーザに通知する。そして、制御装置２６は、設定可能な値であると判断した場合に、入力されたＸ線制御パラメータをＸ線制御装置１８に設定し、入力されたコンソール制御パラメータをコンソール１４の制御装置２６に設定する。
【００４８】
次に、Ｘ線画像撮影システム１０の動作を説明する。
【００４９】
なお、以下の説明では、第１設定範囲情報の元情報である第３設定範囲情報がＸ線制御装置１８に保持されているものとする。
【００５０】
図２の動作概念図に示すように、まず、コンソール１４により、例えば、毎朝のＸ線画像撮影システム１０の電源投入時に、コンソール１４の制御装置に保持されている第１設定範囲情報の値と、Ｘ線制御装置１８に保持されている第３設定範囲情報の値とが同じであるか否かの判断（設定範囲確認）が行われる。そして、両者が同じではないと判断された場合に、第１設定範囲情報の値が、第３設定範囲情報の値と同じ値に設定し直される。
【００５１】
これにより、制御装置２６に保持されている第１設定範囲情報が何らかの原因で設定可能な値ではなくなっていた場合であっても、電源投入時に毎回常に正しい値に更新することができ、Ｘ線の誤曝射を防止することができる。
【００５２】
続いて、Ｘ線画像撮影システム１０では、ユーザ（例えば、Ｘ線画像の撮影技師）により、コンソール１４の入力装置２８を介して、Ｘ線制御パラメータおよびコンソール制御パラメータが入力（設定）される。
【００５３】
Ｘ線制御パラメータおよびコンソール制御パラメータが入力されると、制御装置２６により、第１設定範囲情報に基づいて、入力されたＸ線制御パラメータの値が設定可能な値であるか否かの判断が行われるとともに、第２設定範囲情報に基づいて、入力されたコンソール制御パラメータの値が設定可能な値であるか否かの判断が行われる。
【００５４】
ここで、制御装置２６により、入力されたＸ線制御パラメータおよびコンソール制御パラメータの値がともに設定可能な値であると判断された場合には、設定可能な値であるということがユーザに通知される（設定ＯＫ）。そして、入力されたＸ線制御パラメータがＸ線制御装置１８に設定されるとともに、入力されたコンソール制御パラメータがコンソール１４の制御装置２６に設定される。
【００５５】
一方、制御装置２６により、入力されたＸ線制御パラメータおよびコンソール制御パラメータの値の少なくとも一方が設定可能な値ではないと判断された場合には、設定可能な値ではないということがユーザに通知される（設定ＮＧ）。これに応じて、ユーザにより、設定可能な値ではないと判断されたＸ線制御パラメータおよびコンソール制御パラメータの少なくとも一方の入力から前述の動作が繰り返される。
【００５６】
コンソール１４の制御装置２６の制御により、コンソール制御パラメータの値が設定可能な値であると判断された場合には、コンソール制御パラメータに基づいて、Ｘ線画像撮影システム１０の各部位の動作が制御される。
【００５７】
入力されたＸ線制御パラメータおよびコンソール制御パラメータの値の両方が設定可能な値であるということがユーザに通知されると、続いて、ユーザにより、曝射ボタンが押される（撮影要求）。
【００５８】
曝射ボタンが押されると、Ｘ線画像を撮影する前に、好ましくは、撮影直前に、Ｘ線制御装置１８により、第３設定範囲情報に基づいて、コンソール１４の制御装置２６によって設定されたＸ線制御パラメータの値が設定可能な値か否かの判断が行われ、その判断結果がユーザに通知される。そして、設定可能な値ではないと判断された場合（設定ＮＧ）には、Ｘ線の曝射が中止される。
【００５９】
これにより、Ｘ線制御装置１８に設定されたＸ線制御パラメータの値が何らかの原因によって設定可能な値ではなくなっていた場合であっても、これを撮影前に検出することによってＸ線の誤曝射を防止することができる。
【００６０】
一方、設定可能な値であると判断された場合（設定ＯＫ）には、Ｘ線制御装置１８により、Ｘ線制御パラメータに基づいてＸ線源１６の動作が制御され、Ｘ線源１６からＸ線が被写体に照射される。そして、撮影台２４に位置決めされた被写体を透過したＸ線がＸ線検出器２２によって検出されることによってＸ線画像が撮影される。撮影されたＸ線画像の画像信号はコンソール１４の制御装置２６に入力され、画像処理等が施された後、例えば、表示装置に表示される。
【００６１】
Ｘ線画像撮影システム１０では、コンソール１４の入力装置２８からＸ線制御パラメータおよびコンソール制御パラメータを入力するだけで、Ｘ線制御装置１８にＸ線制御パラメータを設定し、かつ、コンソール１４の制御装置２６にコンソール制御パラメータを設定することができるとともに、Ｘ線制御パラメータの妥当性、つまり、Ｘ線制御パラメータが設定可能な値であるか否かを、Ｘ線制御装置１８に問い合わせることなく、コンソール１４の制御装置２６で判断し、ユーザに通知することができる。
【００６２】
そのため、Ｘ線画像撮影システム１０では、撮影操作を簡素化することができ、撮影効率を向上させることができる。また、撮影完了までの所要時間、つまり、Ｘ線画像の撮影時の被写体の待ち時間を短縮することができ、負担を減らすことができる。
【００６３】
なお、第３設定範囲情報がＸ線制御装置１８に保持されているものとして説明したが、電源投入時および撮影時の判断を行わない場合には、第３設定範囲情報をＸ線制御装置１８に保持しておく必要はない。
【００６４】
次に、本発明のＸ線画像撮影システムの第２の実施形態について説明する。
【００６５】
図３は、本発明のＸ線画像撮影システムの構成を表す第２の実施形態のブロック図である。同図に示すＸ線画像撮影システム３２は、画像撮影装置１２と、コンソール１４と、入力端末３４とによって構成されている。以下、第１の実施形態のＸ線画像撮影システム１０と同様の構成要素には同一の符号を付けて、その詳細な説明を省略し、異なる部分について詳細に説明する。
【００６６】
Ｘ線制御装置１８は、入力端末３４によって、入力されたＸ線制御パラメータの値が設定可能な値であると判断された場合に設定されるＸ線制御パラメータに基づいて、Ｘ線源１６の動作を制御する。
【００６７】
入力装置２８は、各種の情報を制御装置２６に入力するための入力手段である。本実施形態では入力装置２８を使用していないが、入力装置２０からコンソール制御パラメータを入力することもできる。
【００６８】
制御装置２６は、入力端末によって、入力されたコンソール制御パラメータの値が設定可能な値であると判断された場合に設定されるコンソール制御パラメータに基づいて、Ｘ線画像撮影システム全体の動作を制御する。
【００６９】
入力端末３４は、持ち運びが容易な携帯型の端末であって、制御装置３６およびその入力装置３８と、表示装置４０と、通信装置４２とを備えている。入力端末３４としては、例えば、携帯型のパーソナルコンピュータ等を使用することができる。
【００７０】
入力装置３８は、Ｘ線制御パラメータ、および、コンソール制御パラメータを含む各種の情報を制御装置３６に入力するための入力手段である。
【００７１】
制御装置３６は、Ｘ線制御パラメータの値の許容範囲を表す第１設定範囲情報、および、コンソール制御パラメータの値の許容範囲を表す第２設定範囲情報を保持している。制御装置は、第１設定範囲情報に基づいて、入力装置３８を介して入力されたＸ線制御パラメータの値が設定可能な値か否かを判断するとともに、第２設定範囲情報に基づいて、入力装置３８を介して入力されたコンソール制御パラメータが設定可能な値か否かを判断し、その判断結果をユーザに通知する。そして、制御装置３６は、設定可能な値であると判断した場合に、入力されたＸ線制御パラメータをＸ線制御装置１８に設定し、入力されたコンソール制御パラメータをコンソール１４の制御装置２６に設定する。
【００７２】
表示装置４０は、制御装置３６の制御により、入力装置３８を介して入力されるＸ線制御パラメータおよびコンソール制御パラメータ、Ｘ線制御装置１８に設定されているＸ線制御パラメータおよびコンソール１４の制御装置２６に設定されているコンソール制御パラメータ、制御装置３６による判断結果等を含む各種の情報を表示する。
【００７３】
通信装置４２は、制御装置３６の制御により、有線通信または無線通信を用いて、Ｘ線制御パラメータをＸ線制御装置１８に転送するとともに、コンソール制御パラメータをコンソール１４の制御装置２６に転送する。
【００７４】
次に、Ｘ線画像撮影システム３２の動作を説明する。
【００７５】
なお、以下の説明では、第１設定範囲情報の元情報となる第３設定範囲情報がＸ線制御装置１８に保持され、第２設定範囲情報の元情報となる第４設定範囲情報がコンソール１４の制御装置２６に保持されているものとする。
【００７６】
図４の動作概念図に示すように、まず、入力端末３４の制御装置３６により、例えば、毎朝のＸ線画像撮影システム１０の電源投入時に、制御装置３６に保持されている第１設定範囲情報の値と、Ｘ線制御装置１８に保持されている第３設定範囲情報の値とが同じであるか否かの判断（設定範囲確認）が行われる。そして、両者が同じではないと判断された場合に、第１設定範囲情報の値が、第３設定範囲情報の値と同じ値に設定し直される。また、制御装置３６に保持されている第２設定範囲情報の値と、コンソール１４の制御装置２６に保持されている第４設定範囲情報の値とが同じであるか否かの判断（設定範囲確認）が行われる。そして、両者が同じではないと判断された場合に、第２設定範囲情報の値が、第４設定範囲情報の値と同じ値に設定し直される。
【００７７】
これにより、入力端末３４の制御装置３６に保持されている第１設定範囲情報および第２設定範囲情報が何らかの原因で設定可能な値ではなくなっていた場合であっても、電源投入時に毎回常に正しい値に更新することができ、Ｘ線の誤曝射を防止することができる。
【００７８】
続いて、Ｘ線画像撮影システム１０では、ユーザ（例えば、Ｘ線画像の撮影技師）により、入力端末３４の入力装置を介して、コンソール制御パラメータおよびＸ線制御パラメータが入力（設定）される。
【００７９】
コンソール制御パラメータおよびＸ線制御パラメータが入力されると、入力端末３４の制御装置３６により、第１設定範囲情報に基づいて、入力されたＸ線制御パラメータの値が設定可能な値であるか否かの判断が行われるとともに、第２設定範囲情報に基づいて、入力されたコンソール制御パラメータの値が設定可能な値であるか否かの判断が行われる。
【００８０】
ここで、制御装置３６により、入力されたＸ線制御パラメータの値が設定可能な値であると判断された場合には、設定可能な値であるということがユーザに通知され（設定ＯＫ）、入力されたＸ線制御パラメータがＸ線制御装置１８に設定される。また、入力されたコンソール制御パラメータの値が設定可能な値であると判断された場合には、設定可能な値であるということがユーザに通知され（設定ＯＫ）、入力されたコンソール制御パラメータがコンソール１４の制御装置２６に設定される。
【００８１】
一方、制御装置により、入力されたＸ線制御パラメータの値が設定可能な値ではないと判断された場合には、設定可能な値ではないということがユーザに通知され（設定ＮＧ）、ユーザにより、Ｘ線制御パラメータの入力から前述の動作が繰り返される。また、入力されたコンソール制御パラメータの値が設定可能な値ではないと判断された場合には、設定可能な値ではないということがユーザに通知され（設定ＮＧ）、ユーザにより、コンソール制御パラメータの入力から前述の動作が繰り返される。
【００８２】
コンソール制御パラメータおよびＸ線制御パラメータの両方が設定可能な値であるということがユーザに通知されると、続いて、ユーザにより、曝射ボタンが押される（撮影要求）。
【００８３】
曝射ボタンが押されると、Ｘ線画像を撮影する前に、好ましくは、撮影直前に、Ｘ線制御装置１８により、第３設定範囲情報に基づいて、入力端末３４の制御装置３６によって設定されたＸ線制御パラメータの値が設定可能な値か否かの判断が行われ、その判断結果がユーザに通知される。そして、設定可能な値ではないと判断された場合（設定ＮＧ）には、Ｘ線の曝射が中止される。また、コンソール１４の制御装置２６により、第４設定範囲情報に基づいて、入力端末３４の制御装置３６によって設定されたコンソール制御パラメータの値が設定可能な値か否かの判断が行われ、その判断結果がユーザに通知される。そして、設定可能な値ではないと判断された場合（設定ＮＧ）には、Ｘ線の曝射が中止される。
【００８４】
これにより、Ｘ線制御装置１８に設定されたＸ線制御パラメータの値およびコンソール１４の制御装置２６に設定されたコンソール制御パラメータの値が何らかの原因によって設定可能な値ではなくなっていた場合であっても、これを撮影前に検出することによってＸ線の誤曝射を防止することができる。
【００８５】
一方、設定可能な値であると判断された場合（設定ＯＫ）には、コンソール１４の制御装置２６の制御により、コンソール制御パラメータに基づいて各部位の動作が制御されるとともに、Ｘ線制御装置１８により、Ｘ線制御パラメータに基づいてＸ線源１６の動作が制御され、Ｘ線源１６からＸ線が被写体に照射される。そして、撮影台２４に位置決めされた被写体を透過したＸ線がＸ線検出器２２によって検出されることによってＸ線画像が撮影される。撮影されたＸ線画像の画像信号はコンソール１４の制御装置２６に入力され、画像処理等が施される。
【００８６】
Ｘ線画像撮影システム３２では、入力端末３４の入力装置からＸ線制御パラメータおよびコンソール制御パラメータを入力するだけで、Ｘ線制御装置１８にＸ線制御パラメータを設定し、かつ、コンソール１４の制御装置２６にコンソール制御パラメータを設定することができるとともに、Ｘ線制御パラメータおよびコンソール制御パラメータの妥当性、つまり、Ｘ線制御パラメータおよびコンソール制御パラメータが設定可能な値であるか否かを、Ｘ線制御装置１８およびコンソール１４の制御装置２６に問い合わせることなく、入力端末３４の制御装置で判断し、ユーザに通知することができる。
【００８７】
そのため、Ｘ線画像撮影システム３２においても、撮影操作を簡素化することができ、撮影効率を向上させることができる。また、撮影完了までの所要時間、つまり、被写体の待ち時間を短縮することができ、負担を減らすことができる。
【００８８】
なお、第３設定範囲情報がＸ線制御装置１８に保持され、第４設定範囲情報がコンソール１４の制御装置２６に保持されているものとして説明したが、電源投入時および撮影時の判断を行わない場合には、これらを保持しておく必要はない。
【００８９】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００９０】
１０、３２、５０  Ｘ線画像撮影システム
１２、５２  画像撮影装置
１４、５４  コンソール
１６、５６  Ｘ線源
１８、５８  Ｘ線制御装置
２０、２８、３８、６０、６８  入力装置
２２、６２  Ｘ線検出器
２４、６４  撮影台
２６、３６、６６  制御装置
３０  ネットワーク
３４  入力端末
４０  表示装置
４２  通信装置
【図１】
0005570351.tif 000002
【図２】
0005570351.tif 000003
【図３】
0005570351.tif 000004
【図４】
0005570351.tif 000005
【図５】
0005570351.tif 000006
【図６】
0005570351.tif 000007